(57)【要約】【課題】  上布の着脱作業をより簡単に行えるようにし、また、１枚の上布であっても２回分の模様替えを行えるようにした掛け布団カバーを提供する。【解決手段】  掛け布団２を出し入れする上面開口部３が形成されたカバー本体４と、カバー本体の上面開口部を覆う上布５とからなり、カバー本体４は、掛け布団の頭側を収容する袋状の頭側収容部６と足元側を収容する袋状の足元側収容部７がそれぞれ形成され、頭側収容部６と足元側収容部７との間に広い面積の上面開口部３が形成され、頭側収容部６の開口部側縁部と足元側収容部７の開口部側縁部とにそれぞれスライドファスナーの片側体９が設けられ、上布５は、上下幅Ｄ３が上面開口部３の上下幅Ｄ４に対応した幅に形成され、その上辺及び下辺に沿ってスライドファスナーの片側体２０がそれぞれ設けられ、スライドファスナー９，２０を係脱することによりカバー本体４に上布５を着脱可能に取り付ける。【選択図】  図１
0003200783.tif 000002
【実用新案登録請求の範囲】
【請求項１】
掛け布団を出し入れする上面開口部が形成されたカバー本体と、カバー本体の上面開口部を覆う上布とからなり、前記カバー本体は、掛け布団の底面を支持する長方形状のシート材の長手方向の上端側に掛け布団の頭側を収容する袋状の頭側収容部が、下端側に掛け布団の足元側を収容する袋状の足元側収容部がそれぞれ形成され、前記頭側収容部と前記足元側収容部との間に広い面積の上面開口部が形成され、前記頭側収容部の開口部側縁部と前記足元側収容部の開口部側縁部とにそれぞれ縁部に沿ってスライドファスナーの片側体が設けられ、前記上布は、上下幅が前記上面開口部の上下幅に対応した幅に形成され、その上辺及び下辺に沿って前記スライドファスナーの片側体に係合するスライドファスナーの片側体がそれぞれ設けられ、前記スライドファスナーを係脱することにより前記カバー本体に前記上布を着脱可能に取り付けることを特徴とする掛け布団カバー。
【請求項２】
上布には、上下逆に配置した際に異なる模様が付されてなる請求項１に記載の掛け布団カバー。
【請求項３】
上布の左右方向の幅をカバー本体の左右方向の幅より広く設定してなる請求項１又は２に記載の掛け布団カバー。
【請求項４】
カバー本体の四隅部とカバー本体の左右辺の中央部と上布の左右辺の中央部とに、掛け布団の対応する部位に取り付けられた係止具に連結するための係止具を取り付けてなる請求項１〜３のいずれか１項に記載の掛け布団カバー。
【考案の詳細な説明】
【技術分野】
【０００１】
本考案は、掛け布団カバー、特に上布を着脱可能として模様替えを容易に行えるようにした掛け布団カバーに関する。
【背景技術】
【０００２】
従来、柄模様部を着脱交換可能な掛け布団カバーとして、特許文献１には、掛け布団を出し入れするための上面開口部が形成されたカバー本体と、カバー本体の上面開口部を覆うようにカバー本体の少なくとも左右両側縁部に着脱可能に取り付けられる柄模様付き上布とから構成され、カバー本体は、掛け布団の頭側端部を収容する頭側収容部と、掛け布団の足元側端部を収容する足元側収容部と、頭側収容部と足元側収容部を連結し且つ掛け布団の下面を支持する連結部とから構成され、上面開口部は、連結部の真上に位置するとともにカバー本体の左右両側縁を始端及び終端としており、カバー本体は、この開口部から、掛け布団を長手方向に沿って折り曲げることなく収容可能とされたものが開示されている。
【０００３】
この特許文献１の掛け布団カバーにおける上布は、上布がカバー本体に取り付けられた状態においてカバー本体の足元側縁部より外方へ迫り出して、この迫り出し部分がベッドの下側に巻き込み可能となっている。
また、カバー本体の頭側収容部において上面開口部に臨む縁部にスライドファスナーの片側体が設けられ、この片側体は上布の頭側縁部に設けられたスライドファスナーの片側体と着脱可能に構成されている。足元側は、足元側収容部の上面に面接合ファスナーの一端を取り付け、上布においてこの面接合ファスナーと対応する位置に紐輪を設け、これらを接合することにより、上布とカバー本体とを結合するようにしている。
【０００４】
このため、上布を交換すれば、上布に付した柄模様を替えて模様替えをすることができるが、模様替え可能な回数は柄の異なる上布の数に対応した回数に限られることになる。
即ち、上布１枚につき一回の模様替えができるに過ぎない。
また、頭側のみスライドファスナーで着脱可能となっているが、足元側は左右縁部の２箇所を面接合ファスナーと紐輪で着脱可能としてあるため、着脱作業に手間がかかることになる。
【先行技術文献】
【特許文献】
【０００５】
【特許文献１】特開２００２−１９１４８３号公報
【考案の概要】
【考案が解決しようとする課題】
【０００６】
そこで、本考案は、上布の着脱作業をより簡単に行えるようにし、また、１枚の上布であっても２回分の模様替えを行うことができるようにした掛け布団カバーを提供することを目的とする。
【課題を解決するための手段】
【０００７】
上記の課題を解決するために、請求項１に係る掛け布団カバーは、掛け布団を出し入れする上面開口部が形成されたカバー本体と、カバー本体の上面開口部を覆う上布とからなり、前記カバー本体は、掛け布団の底面を支持する長方形状のシート材の長手方向の上端側に掛け布団の頭側を収容する袋状の頭側収容部が、下端側に掛け布団の足元側を収容する袋状の足元側収容部がそれぞれ形成され、前記頭側収容部と前記足元側収容部との間に広い面積の上面開口部が形成され、前記頭側収容部の開口部側縁部と前記足元側収容部の開口部側縁部とにそれぞれ縁部に沿ってスライドファスナーの片側体が設けられ、前記上布は、上下幅が前記上面開口部の上下幅に対応した幅に形成され、その上辺及び下辺に沿って前記スライドファスナーの片側体に係合するスライドファスナーの片側体がそれぞれ設けられ、前記スライドファスナーを係脱することにより前記カバー本体に前記上布を着脱可能に取り付けること、を特徴としている。
請求項２に係る掛け布団カバーは、上布には、上下逆に配置した際に異なる模様が付されてなるものである。
請求項３に係る掛け布団カバーは、上布の左右方向の幅をカバー本体の左右方向の幅より広く設定してなるものである。
請求項４に係る掛け布団カバーは、カバー本体の四隅部とカバー本体の左右辺の中央部と上布の左右辺の中央部とに、掛け布団の対応する部位に取り付けられた係止具に連結するための係止具を取り付けてなるものである。
【考案の効果】
【０００８】
請求項１に係る考案によれば、カバー本体の頭側収容部の開口部側縁部と足元側収容部の開口部側縁部とにそれぞれ縁部に沿ってスライドファスナーの片側体が設けられ、上布の上辺及び下辺に沿って前記スライドファスナーの片側体に係合するスライドファスナーの片側体がそれぞれ設けられているので、カバー本体への上布の着脱作業が頭側も足元側もスライドファスナーで簡単に行えることになる。また、カバー本体はそのままとし、上布のみ交換することにより模様替えが可能となるので、経済的にも有利となる。
請求項２に係る掛け布団カバーによれば、上布を上下逆に配置した際に異なる模様が付されてなるので、上布の上下を替えてカバー本体に取り付けることにより、模様替えが可能となり、一枚の上布で２回分の模様替えを楽しむことができることになり、非常に経済的である。
請求項３に係る掛け布団カバーによれば、上布の左右方向の幅をカバー本体の左右方向の幅より広く設定してなるので、左右の幅広くした部分が掛け布団の側面や係止具を覆い隠すことができ、見栄えがよくなる。
請求項４に係る掛け布団カバーによれば、カバー本体の四隅部とカバー本体の左右辺の中央部と上布の左右辺の中央部とに、掛け布団の対応する部位に取り付けられた係止具に連結するための係止具を取り付けてなるので、カバー内に収容した掛け布団がずれることなく連結できる。
【図面の簡単な説明】
【０００９】
【図１】本考案の第１実施例の掛け布団カバーの使用手順を示す平面図である。
【図２】上布の上下を逆にしてカバー本体に取り付ける様子を示す平面図である。
【図３】第２実施例の掛け布団カバーの使用手順を示す平面図である。
【図４】第１実施例による掛け布団カバーの側面説明図である。
【図５】第１実施例の掛け布団カバーに掛け布団を収容した状態を示す側面図である。
【図６】第２実施例の掛け布団カバーに掛け布団を収容した状態を示す側面図である。
【考案を実施するための形態】
【００１０】
以下、本考案の実施例を図面に基づいて具体的に説明する。本考案の実施例による掛け布団カバー１は、掛け布団２を出し入れする上面開口部３が形成されたカバー本体４と、カバー本体４の上面開口部３を覆う上布５とからなる。
【００１１】
カバー本体４は、掛け布団２の底面を支持する長方形状のシート材からなり、この長方形状のシート材の長手方向の上端側に掛け布団２の頭側２ａを収容する袋状の頭側収容部６が形成され、長手方向の下端側に掛け布団２の足元側２ｂを収容する袋状の足元側収容部７が形成され、これら頭側収容部６と足元側収容部７との間に広い面積の上面開口部３が形成されている。このように広い面積の上面開口部３が形成されているため、掛け布団２をカバー本体４に収容する作業は極めて簡単に行うことができる。
【００１２】
これら袋状の頭側収容部６及び足元側収容部７を形成するには、長方形状のシート材の上端部及び下端部をそれぞれ折り返し、側縁部８を縫着して袋状に形成する。又は、頭側収容部６及び足元側収容部７を形成する別体のシート材を配置し、上面開口部３側を残し周縁を縫着して袋状に形成してもよい。このようにして形成される頭側収容部６及び足元側収容部７の上下幅Ｄ１，Ｄ２は２５〜３０ｃｍ程度が好ましいが、適宜これより大きくしても小さくしてもよい。また、頭側収容部６と足元側収容部７とで、上下幅Ｄ１，Ｄ２を同じにしてもよく、異なる上下幅としてもよい。
【００１３】
これら頭側収容部６の開口部側縁部と足元側収容部７の開口部側縁部とに、それぞれ縁部に沿ってスライドファスナーの片側体９，９が設けられる。
【００１４】
カバー本体４には、袋状収容部６，７の内側の四隅部に、掛け布団２の四隅部に斜めに架け渡された係止用帯状体１０を係止する帯状の係止具１１を取り付けてある。この係止具１１は、帯状体１１ａに雄ホック１１ｂと雌ホック１１ｃを取り付けたもので、掛け布団２の係止用帯状体１０にカバー本体４の帯状の係止具１１を通して折り返し、雌ホック１１ｃに雄ホック１１ｂを嵌めて係止し、掛け布団２の四隅とカバー本体４の四隅とを連結する。
また、カバー本体４には、上辺１２，下辺１３の中央部（袋状収容部６，７の内側で上端縁１２，下端縁１３の中央部）及び左辺１４，右辺１５の中央部にそれぞれ結び紐からなる係止具１６を取り付けてある。上辺１２，下辺１３の中央部の結び紐１６，１６を掛け布団２の対応する部位にあるループ紐１７，１７に通し、結び紐１６，１６で結んで掛け布団２とカバー本体４とを連結する。
【００１５】
上布５は、上下幅Ｄ３がカバー本体４の上面開口部３の上下幅Ｄ４に対応した幅に形成される。そして、その上辺１８及び下辺１９に沿ってカバー本体４の頭側収容部６及び足元側収容部７にそれぞれ設けたスライドファスナーの片側体９に係合するスライドファスナーの片側体２０をそれぞれ設けてある。
【００１６】
スライダー２１を移動させてスライドファスナー９，２０を係合することにより上布５をカバー本体４に簡単に取り付けることができ、スライダー２１を移動させてスライドファスナー９，２０の係合を解除することによりカバー本体４から上布５を簡単に取り外すことができる。
【００１７】
上布５の左辺２２及び右辺２３の中央部にはループ紐からなる係止具２４を取り付けてある。
また、上布５には、模様２５ａ，２５ｂが付されている。この模様２５ａ，２５ｂは上下を逆にした際に異なる模様となるように付されている。このように模様を付すことにより、図２に示すように、上下を逆にして上布５をカバー本体４に取り付けた際に模様が異なり（図１（ｃ）と図２（ｂ））、一枚の上布５で２回分の模様替えを行うことができることになる。
【００１８】
図３に示した第２実施例の掛け布団カバー１における上布５では、その左右幅Ｗ１を本体カバー４の左右幅Ｗ２より左右にＷ３，Ｗ３だけ広く設定してある。また、カバー本体４の左辺１４，右辺１５の中央部に取り付けた係止具１６と対応する部位に設けられるループ紐からなる係止具２４は裏側に取り付けてあり、係止具２４が外側から見えないようにしてある。これ以外の構成は、第１実施例の掛け布団カバー１における上布５と同じである。
【００１９】
上記において、係止具１１，１６，２４は、帯状体１１に雄雌ホック１１ｂ，１１ｃを取り付けたもの，結び紐１６からなるもの、ループ紐２４からなるものを例示したが、これらに限定されるものではなく、面ファスナーやフックなど、他の任意の係止具を用いてもよい。
また、カバー本体４や上布５を構成する布地の種類は特に限定されず、各種の織地、各種の編地など、適宜採択できる。
【００２０】
なお、図１〜図３においては、上布５の上下を逆にした場合に異なる模様（２５ａ，２５ｂ）となるものを示したが、同じ模様となるものを排除するものではない。上布５の上下を逆に配置した際に同じ模様となる場合であっても、掛け布団カバー全体を交換するのではなく、カバー本体４はそのままとし、模様の異なる上布のみ交換するだけで模様替えすることができるので、経済的である。
【００２１】
次に本考案による掛け布団カバー１の使用手順について説明する。
図１（ａ）に示すように、カバー本体４の上面開口部３に掛け布団２を載せ、掛け布団２の頭側２ａをカバー本体４の頭側収容部６に収容し、掛け布団２の足元側２ｂをカバー本体４の足元側収容部７に収容する。カバー本体４の上面開口部３は広い面積を有するので、カバー本体４に掛け布団２を容易に収容できる。
次いで、掛け布団２の四隅に取り付けられた係止用帯状体１０にカバー本体４の四隅に取り付けた帯状の係止具１１を通して折り返し雌ホック１１ｃに雄ホック１１ｂを嵌めて、掛け布団２の四隅部とカバー本体４の四隅部とを連結する。また、カバー本体４の上辺１２，下辺１３の中央部の結び紐１６，１６を掛け布団２の対応する部位にあるループ紐１７，１７に通し、結び紐１６で結んで掛け布団２とカバー本体４とを連結する。これらにより、掛け布団２とカバー本体４とはずれることなく連結される。
次に、図１（ｂ）に示すように、上布５を上面開口部３上に配置し、スライダー２１を移動させてスライドファスナー９，２０を係合させ、頭側収容部６と上布５の上辺１８とを連結し、また、足元側収容部７と上布５の下辺１９とを連結する。この連結作業は、２箇所のスライダー２１，２１を移動するだけで行えるので極めて簡単である。
次いで、カバー本体４の左辺１４，右辺１５の中央部に取り付けた結び紐１６，１６を掛け布団２の左辺，右辺中央部のループ紐２６，２６及び上布５の左辺２２，右辺２３中央部のループ紐２４，２４に通し、結んでカバー本体４と掛け布団２と上布５とを連結する（図１（ｃ）、図２（ｃ））。
これら一連の作業により、掛け布団２への掛け布団カバー１の装着作業は完了する。
第２実施例による掛け布団カバー１の使用手順も、図３に示すように、上記と同様である。
掛け布団２に装着した掛け布団カバー１を取り外すには、上記一連の作業を逆の手順で進めればよい。
【００２２】
第１実施例による掛け布団カバー１においては、装着作業後、側面側から見ると、図５において斜線で示す掛け布団２の側面がカバー本体４と上布５との隙間から見えてしまうことがある。
これに対し、第２実施例による掛け布団カバー１にあっては、図６に示すように、掛け布団２の側面は上布５の幅広にした部分２７によって隠され、また係止具１６，２４，２６も隠されるので、見栄えが良くなる。
【符号の説明】
【００２３】
１  掛け布団カバー
２  掛け布団
２ａ  頭側
２ｂ  足元側
３  上面開口部
４  カバー本体
５  上布
６  頭側収容部
７  足元側収容部
８  側縁部
９  スライドファスナーの片側体
１０  係止用帯状体
１１  係止具
１１ａ  帯状体
１１ｂ  雄ホック
１１ｃ  雌ホック
１２  上辺
１３  下辺
１４  左辺
１５  右辺
１６  係止具（結び紐）
１７  ループ紐
１８  上辺
１９  下辺
２０  スライドファスナーの片側体
２１  スライダー
２２  左辺
２３  右辺
２４  係止具（ループ紐）
２５ａ，２５ｂ  模様
２６  ループ紐
２７  広幅部分
Ｄ１  頭側収容部の上下幅
Ｄ２  足元側収容部の上下幅
Ｄ３  上布の上下幅
Ｄ４  上面開口部の上下幅
Ｗ１  第２実施例における上布の左右幅
Ｗ２  カバー本体の左右幅
Ｗ３  広く設定した左右幅
【図１】
0003200783.tif 000003
【図２】
0003200783.tif 000004
【図３】
0003200783.tif 000005
【図４】
0003200783.tif 000006
【図５】
0003200783.tif 000007
【図６】
0003200783.tif 000008